(57)【要約】      （修正有）【課題】ヒト生体データとアカウントとを関連付けるための方法及び装置を提供する。【解決手段】情報相互作用方法は、情報相互作用パーティのユーザアカウントを伴う情報相互作用オペレーションがトリガされたときに、情報相互作用パーティの役割を果たすユーザのヒト生体データを入手することと、ヒト生体データに従うマッチングユーザアカウントが存在しないと決定したときに、生体データをサーバにアップロードして、情報相互作用オペレーションを一時停止し、ヒト生体データを、デバイスを介してサーバにアップロードして、ユーザのユーザアカウントとヒト生体データとの間の関連付け関係を確立することと、サーバによって送信されたヒト生体データにマッチングするユーザアカウントを受信したときに、情報相互作用オペレーションを再開して、ヒト生体データにマッチングするユーザアカウントを伴う情報相互作用オペレーションを完了することと、を含む。【選択図】図３Ａ
2020047290.tif 000002
【特許請求の範囲】
【請求項１】
１つ以上のプロセッサと、
メモリと、
前記メモリに記憶され、デバイスによってアップロードされたヒト生体データを受信するために前記１つ以上のプロセッサによって実行可能なデータ受信ユニットと、
前記メモリに保存され、前記ヒト生体データと識別情報を関連付けて保存するために前記１つ以上のプロセッサによって実行可能な関連付けストレージユニットと、
前記メモリに記憶され、第１のユーザの第１のユーザアカウントからリクエスト情報を受信するために前記１つ以上のプロセッサによって実行可能なリクエスト受信ユニットであって、前記リクエスト情報が前記識別情報を含む、リクエスト受信ユニットと、
前記リクエスト情報に含まれる前記識別情報に対応する前記ヒト生体データを検索し、前記第１のユーザの前記第１のユーザアカウントと第２のユーザの第２のユーザアカウントとの間の情報相互作用オペレーションが前記デバイス上の前記情報相互作用オペレーションを終了することなく一時停止された後に、前記第２のユーザの前記第２のユーザアカウントと検出された前記ヒト生体データとの間の関連付け関係を確立するように構成された関連付け処理ユニットと、
を備えた、サーバ。
【請求項２】
前記識別情報は、前記デバイスによってアップロードされる、請求項１に記載のサーバ。
【請求項３】
前記識別情報は、前記デバイス内のログインアカウントのアカウント属性情報、前記デバイスによってアップロードされた前記ヒト生体データの時間情報、前記デバイスによってアップロードされた前記ヒト生体データの地理的位置情報、前記デバイスの属性情報、前記デバイスが位置するネットワーク環境の属性情報、カスタム文字列、および前記デバイスによって生成されたランダム文字列のうちの少なくとも１つを含む、請求項１に記載のサーバ。
【請求項４】
前記データ受信ユニットは前記デバイスによってアップロードされる相互作用情報をさらに受信し、前記関連付けストレージユニットは、前記相互作用情報と、前記ヒト生体データと、前記識別情報とを関連付けてさらに保存する、請求項１に記載のサーバ。
【請求項５】
前記リクエスト情報を受信した後に、前記リクエスト情報に含まれる前記識別情報に対応する前記相互作用情報を前記第１のユーザアカウントに送信する情報送信ユニットをさらに備えた、請求項４に記載のサーバ。
【請求項６】
サーバによって、デバイスによってアップロードされたヒト生体データを受信することと、
前記サーバによって、前記ヒト生体データと識別情報を関連付けて保存することと、
前記サーバによって、第１のユーザの第１のユーザアカウントからリクエスト情報を受信することであって、前記リクエスト情報が前記識別情報を含む、ことと、
前記サーバによって、前記リクエスト情報に含まれる前記識別情報に対応する前記ヒト生体データを検索することと、
前記第１のユーザの前記第１のユーザアカウントと第２のユーザの第２のユーザアカウントとの間の情報相互作用オペレーションが前記デバイス上の前記情報相互作用オペレーションを終了することなく一時停止された後に、前記サーバによって、前記第２のユーザの前記第２のユーザアカウントと検出された前記ヒト生体データとの間の関連付け関係を確立することと、
を含む、方法。
【請求項７】
前記識別情報は、前記デバイスによってアップロードされる、請求項６に記載の方法。
【請求項８】
前記識別情報は、前記デバイス内のログインアカウントのアカウント属性情報、前記デバイスによってアップロードされた前記ヒト生体データの時間情報、前記デバイスによってアップロードされた前記ヒト生体データの地理的位置情報、前記デバイスの属性情報、前記デバイスが位置するネットワーク環境の属性情報、カスタム文字列、および前記デバイスによって生成されたランダム文字列のうちの少なくとも１つを含む、請求項７に記載の方法。
【請求項９】
前記識別情報は、前記サーバによってローカルに生成される、請求項６に記載の方法。
【請求項１０】
前記識別情報は、ランダム文字列を含む、請求項９に記載の方法。
【請求項１１】
前記デバイスによってアップロードされる相互作用情報を受信することをさらに含む、請求項６に記載の方法。
【請求項１２】
前記サーバによって、前記相互作用情報と、前記ヒト生体データと、前記識別情報とを関連付けて保存することをさらに含む、請求項１１に記載の方法。
【請求項１３】
前記サーバによって、前記リクエスト情報を受信した後に、前記リクエスト情報に含まれる前記識別情報に対応する前記相互作用情報を前記第１のユーザアカウントに送信することをさらに含む、請求項１２に記載の方法。
【請求項１４】
デバイスの１つ以上のプロセッサによって実行されると、前記１つ以上のプロセッサに、
サーバによって、デバイスによってアップロードされたヒト生体データを受信することと、
前記サーバによって、前記ヒト生体データと識別情報を関連付けて保存することと、
前記サーバによって、第１のユーザの第１のユーザアカウントからリクエスト情報を受信することであって、前記リクエスト情報が前記識別情報を含む、ことと、
前記サーバによって、前記リクエスト情報に含まれる前記識別情報に対応する前記ヒト生体データを検索することと、
前記第１のユーザの前記第１のユーザアカウントと第２のユーザの第２のユーザアカウントとの間の情報相互作用オペレーションが前記デバイス上の前記情報相互作用オペレーションを終了することなく一時停止された後に、前記サーバによって、前記第２のユーザの前記第２のユーザアカウントと検出された前記ヒト生体データとの間の関連付け関係を確立することと、
を含む動作を実行させる実行可能命令を記憶した、１つ以上のコンピュータ可読媒体。
【請求項１５】
前記識別情報は、前記デバイスによってアップロードされる、請求項１４に記載の１つ以上のコンピュータ可読媒体。
【請求項１６】
前記識別情報は、前記デバイス内のログインアカウントのアカウント属性情報、前記デバイスによってアップロードされた前記ヒト生体データの時間情報、前記デバイスによってアップロードされた前記ヒト生体データの地理的位置情報、前記デバイスの属性情報、前記デバイスが位置するネットワーク環境の属性情報、カスタム文字列、および前記デバイスによって生成されたランダム文字列のうちの少なくとも１つを含む、請求項１５に記載の１つ以上のコンピュータ可読媒体。
【請求項１７】
前記識別情報は、前記サーバによってローカルに生成される、請求項１４に記載の１つ以上のコンピュータ可読媒体。
【請求項１８】
前記識別情報は、ランダム文字列を含む、請求項１７に記載の１つ以上のコンピュータ可読媒体。
【請求項１９】
前記サーバによって、前記デバイスによってアップロードされる相互作用情報を受信することをさらに含む、請求項１４に記載の１つ以上のコンピュータ可読媒体。
【請求項２０】
前記サーバによって、前記相互作用情報と、前記ヒト生体データと、前記識別情報とを関連付けて記憶することをさらに含む、請求項１９に記載の１つ以上のコンピュータ可読媒体。
【発明の詳細な説明】
【技術分野】
【０００１】
本願は、情報相互作用技術の分野に関し、とりわけ、情報相互作用方法及び装置、ならびにヒト生物学的データとアカウントとを関連付けるための方法及び装置に関する。
【背景技術】
【０００２】
ヒト生物学的データは、強力に個別化され、かつ模倣が困難な特性を保有する、顔面特徴、指紋特徴、掌紋特徴、網膜特徴、骨格特徴、心拍特徴などを含む。それ故に、ユーザのヒト生物学的データを直接スキャニングすることによって、ヒト生物学的データに基づいて、例えば、アカウント、パスワードなどの情報をユーザが記録する必要なく、迅速かつ安全なアカウントログイン及び情報相互作用などのオペレーションを実施することができる。
【発明の概要】
【発明が解決しようとする課題】
【０００３】
本願は、ヒト生体データを入手する回数を減少させ、情報相互作用の効率を向上させることができる、情報相互作用のための方法及び装置、ならびにヒト生体データとアカウントとを関連付けるための方法及び装置を提供する。
【課題を解決するための手段】
【０００４】
前述の目的を実現するために、本願は以下の技術的解決法を提供する。
【０００５】
本願の第一の態様に従う情報相互作用方法が提供され、これは、
情報相互作用パーティのユーザアカウントを伴う情報相互作用オペレーションがトリガされたときに、情報相互作用パーティの役割を果たすユーザのヒト生体データを入手することと、
ヒト生体データに基づくマッチングユーザアカウントが検出されないと決定したときに情報相互作用オペレーションを一時停止し、ヒト生体データを、デバイスを介してサーバにアップロードして、ユーザのユーザアカウントとヒト生体データとの間の関連付け関係を確立することと、
ヒト生体データにマッチングするユーザアカウントをサーバから受信したときに、情報相互作用オペレーションを再開し、ヒト生体データにマッチングするユーザアカウントを伴う情報相互作用オペレーションを完了することと、を含む。
【０００６】
本願の第二の態様に従う情報相互作用方法が提供され、これは、
ログインアカウントを使用してデータクエリリクエストをサーバに送信して、情報相互作用パーティのユーザアカウントが属するデバイスによって入手かつアップロードされた、ログインアカウントに対応するユーザのヒト生体データをクエリすることと、
ログインアカウントと検出されたヒト生体データとの間の関連付け関係を確立するための関連付けリクエストをサーバに送信することと、
関連付け関係に従う、情報相互作用パーティのアカウントによって送信された相互作用情報を受信したときに、情報相互作用パーティのユーザアカウントを伴う情報相互作用オペレーションを完了することと、を含む。
【０００７】
本願の第三の態様に従うヒト生体データとアカウントとを関連付けるための方法が提供され、これは、
デバイスによってアップロードされたヒト生体データを受信することと、
ヒト生体データと対応する識別情報とを関連付けて保存することと、
識別情報を含む、ユーザアカウントからのリクエスト情報を受信することと、
リクエスト情報に含まれる識別情報に対応するヒト生体データを検索して、ユーザアカウントと検出されたヒト生体データとの間の関連付け関係を確立することと、を含む。
【０００８】
本願の第四の態様に従う情報相互作用装置が提供され、これは、
情報相互作用パーティのユーザアカウントを伴う情報相互作用オペレーションがトリガされたときに、情報相互作用パーティの役割を果たすユーザのヒト生体データを入手するように構成された入手ユニットと、
ヒト生体データに基づくマッチングユーザアカウントが検出されないと決定したときに情報相互作用オペレーションを一時停止し、ヒト生体データを、デバイスを介してサーバにアップロードして、ユーザのユーザアカウントとヒト生体データとの間の関連付け関係を確立するように構成された処理ユニットと、
ヒト生体データにマッチングするユーザアカウントをサーバから受信したときに、情報相互作用オペレーションを再開し、ヒト生体データにマッチングするユーザアカウントを伴う情報相互作用オペレーションを完了するように構成された相互作用ユニットと、を備える。
【０００９】
本願の第五の態様に従う情報相互作用装置が提供され、これは、
ログインアカウントを使用してデータクエリリクエストをサーバに送信して、情報相互作用パーティのユーザアカウントが属するデバイスによって入手かつアップロードされた、ログインアカウントに対応するユーザのヒト生体データをクエリするように構成されたクエリユニットと、
ログインアカウントと検出されたヒト生体データとの間の関連付け関係を確立するための関連付けリクエストをサーバに送信するように構成された関連付けユニットと、
関連付け関係に従う、情報相互作用パーティのアカウントによって送信された相互作用情報を受信したときに、情報相互作用パーティのユーザアカウントを伴う情報相互作用オペレーションを完了するように構成された相互作用ユニットと、を備える。
【００１０】
本願の第六の態様に従うヒト生体データとアカウントとを関連付けるための装置が提供され、これは、
デバイスによってアップロードされたヒト生体データを受信するように構成されたデータ受信ユニットと、
ヒト生体データと対応する識別情報とを関連付けて保存するように構成された関連付けストレージユニットと、
識別情報を含む、ユーザアカウントからのリクエスト情報を受信するように構成されたリクエスト受信ユニットと、
リクエスト情報に含まれる識別情報に対応するヒト生体データを検索して、ユーザアカウントと検出されたヒト生体データとの間の関連付け関係を確立するように構成された関連付け処理ユニットと、を備える。
【００１１】
前述の技術的解決法から理解されるように、本願は、情報相互作用オペレーションを一時停止かつ再開することによって、情報相互作用パーティのユーザが、ヒト生体データとユーザアカウントとの間の関連付け関係をリアルタイムで確立するのを待機し、それによって、ヒト生体データを入手する回数を減少させ、情報相互作用オペレーションが複数回実行されることを回避させ、したがって、情報相互作用の効率の改善を促進させる。
【図面の簡単な説明】
【００１２】
【図１】情報相互作用方法のフローチャートである。
【図２】別の情報相互作用方法のフローチャートである。
【図３Ａ】本願の例示的な実施形態に従う、端末の観点からの情報相互作用方法のフローチャートである。
【図３Ｂ】本願の別の例示的な実施形態に従う、端末の観点からの情報相互作用方法のフローチャートである。
【図４】本願の例示的な実施形態に従う、支払サービスを実行するフローチャートである。
【図５】本願の例示的な実施形態に従う、サーバの観点からのヒト生体データとアカウントとを関連付ける方法のフローチャートである。
【図６】本願の例示的な実施形態に従う、端末の概略構造図である。
【図７】本願の例示的な実施形態に従う、情報相互作用装置のブロック図である。
【図８】本願の別の例示的な実施形態に従う、情報相互作用装置のブロック図である。
【図９】本願の例示的な実施形態に従う、サーバの概略構造図である。
【図１０】本願の別の例示的な実施形態に従う、ヒト生体データとアカウントとを関連付けるための装置のブロック図である。
【発明を実施するための形態】
【００１３】
ユーザ間の情報相互作用を実施するときに、ユーザに対応する個々のユーザアカウント間の相互作用情報を送信かつ受信するオペレーションを、ユーザアカウントに基づいて実行する必要があった。ヒト生体データに基づく情報相互作用のプロセスでは、実際には、例えば、入手が容易であり、模倣が困難であり、かつ安全性が高いといったヒト生体データの特性を利用して、情報相互作用のオペレーションのプロセスをより容易にかつ安全に実施することができるように、ユーザのヒト生体データとユーザアカウントとの間の関連付けが確立される。
【００１４】
図１に示すように、ユーザＡとユーザＢとの間の情報相互作用を実施する場合には、以下のような共通の処理手順を実施する。
【００１５】
ステップ１０２において、ユーザＡ及びユーザＢが、別々に、それらのユーザアカウントとそれらのヒト生体データとの関連付け関係をサーバに保存する。ユーザＡに対応するユーザアカウントは、アカウントＡと仮定し、ユーザＡに対応するヒト生体データは、特徴１と仮定する。ユーザＢに対応するユーザアカウントは、アカウントＢと仮定し、ユーザＢに対応するヒト生体データは、特徴２と仮定する。この事例では、アカウントＡ−特徴１及びアカウントＢ−特徴２という関連付け関係が、ユーザＡ及びユーザＢのサーバに個々に保存される。
【００１６】
図１に示すように、ステップ１０４において、サーバが、受信したユーザアカウントとヒト生体データとを関連付けて、例えば、アカウントＡと特徴１、アカウントＢと特徴２とを関連付けて保存する。
【００１７】
ステップ１０６において、情報相互作用オペレーションが、ユーザＡによってトリガされたと仮定される。
【００１８】
ステップ１０８において、ユーザＡは、スキャニングデバイスを使用してユーザＢをスキャンして、ユーザＢのヒト生体データ、例えば、特徴２を取得する。
【００１９】
ステップ１１０において、ユーザＡは、スキャンした特徴２を含むクエリリクエストを、端末を介してサーバに送信する。
【００２０】
ステップ１１２において、サーバは、事前に保存された関連付け関係に基づいて、特徴２にマッチングするユーザアカウントがアカウントＢである、すなわち、アカウントＢ−特徴２であることを検出し、アカウントＢを含むクエリ結果をユーザＡに戻す。
【００２１】
ステップ１０６においてユーザＢが情報相互作用オペレーションをトリガする場合には、ユーザＢが、スキャニングデバイスを使用してユーザＡをスキャンして、ステップ１０８において特徴１を取得することが明らかである。ユーザＢは、ステップ１１０において、特徴１を含むクエリリクエストをサーバに送信する。ステップ１１２において、サーバは、関連付け関係に従い、ユーザＢによってアップロードされた特徴１に対応するアカウントＡ、すなわち、アカウントＡ−特徴１を検出することができる。
【００２２】
ステップ１１４において、ユーザＡは、アカウントＡを介して（ユーザＢに対応する）アカウントＢとの情報相互作用を実行し、したがって、ユーザＡとユーザＢとの間の情報相互作用を実施する。
【００２３】
図１に示すような前述の処理手順によって、ユーザＡとユーザＢとの間の情報相互作用を容易に実施することができ、アカウントＢにログインする別のユーザが、ユーザＢの特徴のスキャニングによってユーザＢとして模倣することを防止する。
【００２４】
それでもなお、前述の処理手順の実施態様は、ステップ１０２に依存する。具体的には、情報相互作用のオペレーションのプロセス中に、スキャニングによって取得したヒト生体データに対応するユーザアカウントを、事前に保存された関連付け関係に基づいて検出することができるように（すなわち、ステップ１１２）、情報相互作用の両方のパーティが、それぞれのユーザアカウントとそれぞれのヒト生体データとの間の関連付け関係を予めサーバに保存する必要がある。
【００２５】
しかしながら、アプリケーション機能をまさに起動させたときは特に、サーバは、多くのユーザのユーザアカウントとヒト生体データとを関連付けて保存することができず、したがって、図２に示すように処理される。
【００２６】
ステップ２０２において、ユーザＡのみが、それらのアカウントＡ及び特徴１をサーバにアップロードする。
【００２７】
ステップ２０４において、サーバは、アカウントＡと特徴１とを関連付けて保存する。
【００２８】
ステップ２０６において、ユーザＡは、第一の情報相互作用オペレーションをトリガする。
【００２９】
ステップ２０８において、ユーザＡは、スキャニングデバイスを介してユーザＢをスキャンして、ユーザＢのヒト生体データ、例えば、特徴２を取得する。
【００３０】
ステップ２１０において、ユーザＡは、スキャンした特徴２を含むクエリリクエストを、端末を介してサーバに送信する。
【００３１】
ユーザＢが、アカウントＢ及び特徴２を関連付けてサーバにアップロードかつ保存しないため、ステップ２１２において、サーバは、特徴２にマッチングするユーザアカウントを検出することができず、「未検出」のクエリ結果をユーザＡに戻す。
【００３２】
情報相互作用パーティを決定することができないため、ステップ２１４において、ユーザＡによってトリガされた第一の情報相互作用オペレーションを終了する。
【００３３】
ステップ２１６において、ユーザＢは、スキャニングデバイスを使用して自身をスキャンして、取得したヒト生体データ、例えば、特徴２を、アカウントＢと関連付けてサーバに保存する必要がある。
【００３４】
ステップ２１８において、ユーザＡは、第二の情報相互作用オペレーションをトリガする。
【００３５】
ステップ２２０において、ユーザＡは、スキャニングデバイスを介してユーザＢをスキャンして、ユーザＢのヒト生体データ、例えば、特徴２を取得する。
【００３６】
ステップ２２２において、ユーザＡは、スキャンした特徴２を含むクエリリクエストを、端末を介してサーバに送信する。
【００３７】
ステップ２２４において、サーバは、事前に保存された関連付け関係に基づいて、特徴２にマッチングするユーザアカウントがアカウントＢであること、すなわち、アカウントＢ−特徴２であることを検出し、アカウントＢを含むクエリ結果をユーザＡに戻す。
【００３８】
ステップ２２６において、ユーザＡは、アカウントＡを介して（ユーザＢに対応する）アカウントＢとの情報相互作用を実行し、したがって、ユーザＡとユーザＢとの間の情報相互作用を実施する。
【００３９】
以上のように、情報相互作用パーティが、予めユーザアカウントとヒト生体データとを関連付けて保存しないときには、情報相互作用オペレーションを少なくとも２回トリガする必要があり（ステップ２０６及びステップ２１８）、ヒト生体データを３回スキャンする必要がある（ステップ２０８、ステップ２１６、及びステップ２２０）。それらのオペレーションのプロセスは、非常に複雑かつ煩雑である。
【００４０】
しかしながら、本願の技術的解決法によって、ヒト生体データを入手する回数が減少し、ユーザオペレーションが単純化して、情報相互作用の効率が向上する。
【００４１】
本願をさらに説明するために、以下のような実施形態が提供される。
【００４２】
図３Ａを参照すると、図３Ａは、本願の例示的な実施形態に従う、情報相互作用方法のフローチャートを示す。本方法は、端末に適用され、以下のステップを含むことができる。
【００４３】
ステップ３０２において、情報相互作用パーティのユーザアカウントを伴う情報相互作用オペレーションがトリガされたときに、情報相互作用パーティの役割を果たすユーザのヒト生体データを入手する。
【００４４】
本実施形態において、ヒト生体データは、以下、すなわち、顔面特徴、指紋特徴、掌紋特徴、網膜特徴、骨格特徴、心拍特徴などの少なくとも１つを含むことができる。当業者は、本願が、特定のタイプの「ヒト生体データ」を限定せず、ユーザ識別に使用することができる他の生物学的特徴も当然本願の技術的解決法に適用可能であることを理解すべきであることは明白である。
【００４５】
具体的には、本実施形態では、情報相互作用オペレーションは、端末にインストールされたＡＰＰ（アプリケーション）を介して直接トリガすることができる。代替として、情報相互作用オペレーションは、ＡＰＰ間の機能を呼び出すことによって間接的にトリガすることができる。
【００４６】
ステップ３０４において、ヒト生体データに基づくマッチングユーザアカウントが存在しないと決定した場合に、情報相互作用オペレーションを一時停止し、ヒト生体データを、デバイスを介してサーバにアップロードして、ユーザのユーザアカウントとヒト生体データとの間の関連付け関係を確立する。
【００４７】
本実施形態では、入手したヒト生体データは、デバイスにおいてユーザアカウントをログインすることによって、ユーザアカウントに従いサーバにアップロードすることができる。
【００４８】
本実施形態では、ユーザアカウントとそれぞれのヒト生体データとを関連付けて、マッピング関係データベースに保存することができ、マッピング関係データベースをクエリすることによって、入手したヒト生体データにマッチングするユーザアカウントを決定することができる。
【００４９】
例示的な実施態様として、ユーザは、マッピング関係データベースをローカル端末にダウンロードかつ保存して、対応するローカルマッピング関係データベースを形成し、ローカルマッピング関係データベースにおいて入手したヒト生体データにマッチングするユーザアカウントを検索することができる。同時に、ローカルマッピング関係データベース内のデータが最新であることを保証するため、さらに、サーバを用いたデータ更新を定期的に実行することができる。
【００５０】
好ましくは、ローカルマッピング関係データベースに保存されたマッピング関係では、ローカルマッピング関係データベースに保存されたデータの容量が過度に大きいことに起因してローカルストレージスペースが過度に占有されることまたはクエリ効率が低下することを回避するために、対応するユーザアカウントは、（アドレス帳の連絡先などの）友人のユーザアカウントであっても良いし、以前に実行された情報相互作用オペレーションに基づくアカウント関係を有するユーザアカウントであっても良い。
【００５１】
別の例示的な実施態様として、オンラインマッピング関係データベース内のヒト生体データにマッチングするユーザアカウントをサーバが検索できるように、オンラインマッピング関係データベースをサーバに作製し、ユーザが、入手したヒト生体データをサーバに送信することができる。オンラインマッピング関係データベースを使用して、その内部のマッピング関係をオンラインで更新することができ、データを確実に最新のものとすることができる。
【００５２】
本実施形態では、入手したヒト生体データをサーバに保存することによって、情報相互作用パーティの役割を果たすユーザは、ヒト生体データを直接使用することができる。換言すれば、自身のアカウントとヒト生体データとの間の関連付け関係が確立され、ユーザは、自身のヒト生体データを再度スキャンして入手する必要なく、したがって、ヒト生体データを入手する回数を効率的に減少させて、情報相互作用の効率を向上させる。
【００５３】
ステップ３０６において、ヒト生体データにマッチングするユーザアカウントをサーバから受信した後、情報相互作用オペレーションを再開し、ヒト生体データにマッチングするユーザアカウントを伴う情報相互作用オペレーションを完了する。
【００５４】
本実施形態では、情報相互作用オペレーションを再開することによって、ユーザは、情報相互作用オペレーションを再度実行する必要もなければ、情報相互作用パーティの役割を果たすユーザのヒト生体データを再び入手する必要もない。したがって、情報相互作用の効率の向上が促進する。
【００５５】
本実施形態では、例示的な実施態様として、情報相互作用パーティの役割を果たすユーザが（ステップ３０４においてサーバにアップロードされた）ヒト生体データに対応するユーザアカウントを確立した後、サーバは、ユーザアカウントを端末に直接プッシュすることができる。別の例示的な実施態様として、ステップ３０４の後、端末がサーバにおけるポーリングオペレーションを起動し、その後、サーバが、ポーリングオペレーションに従い、マッチングユーザアカウントをクエリ結果として端末に戻すことができる。
【００５６】
図３Ａに示すような実施形態では、図１及び図２に示すようなユーザＡの観点から説明がなされる、すなわち、ユーザＡの端末に実施形態が適用される。それに対応して、図３Ｂを参照すると、図３Ｂは、本願の別の例示的な実施形態に従う、情報相互作用方法のフローチャートを示す。本方法は、図１及び図２に示すようなユーザＢの端末に適用することができ、以下のステップを含むことができる。
【００５７】
ステップ３０２’において、ログインアカウントを使用してデータクエリリクエストをサーバに送信して、情報相互作用パーティのユーザアカウントが属するデバイスによって入手かつアップロードされた、ログインアカウントに対応するユーザのヒト生体データをクエリする。
【００５８】
本実施形態では、ユーザは、自身のヒト生体データを再び入手する必要はないが、図３Ａに示すような実施形態に従い、入手されてサーバにアップロードされたヒト生体データを直接使用する。したがって、ヒト生体データを入手する回数が減少する。
【００５９】
ステップ３０４’において、ログインアカウントと検出されたヒト生体データとの間の関連付け関係を確立するための関連付けリクエストをサーバに送信する。
【００６０】
ステップ３０６’において、関連付け関係に従う、情報相互作用アカウントから送信された相互作用情報を受信したときに、情報相互作用パーティのユーザアカウントを伴う情報相互作用オペレーションを完了する。
【００６１】
前述の実施形態から理解されるように、本願では、入手したヒト生体データにマッチングするユーザアカウントが検出されないときには、ユーザ相互作用オペレーションは、直接的に終了されないが、一時停止かつ再開される。したがって、情報相互作用オペレーションを複数回数トリガすることが回避される。さらに、入手したヒト生体データをサーバにアップロードすることによって、情報相互作用パーティの役割を果たすユーザは、自身のヒト生体データを再び入手する必要がなく、アップロードされたヒト生体データの対応するユーザアカウントを直接構成することができる。したがって、ヒト生体データを入手する回数の減少が促進し、情報相互作用の効率が向上する。
【００６２】
本技術的解決法に従い、本願は、様々なタイプの情報相互作用シナリオに適用することができる。例えば、以下で解決法の実行プロセスを詳細に説明するために、「支払サービス」の具体的なアプリケーションシナリオが、実施例として挙げられている。図４を参照すると、図４は、本願の例示的な実施形態に従う、支払サービスを実行するフローチャートを示す。本方法は、ユーザＡがユーザＢに支払いを行うプロセスに関し、以下のステップを含むことができる。
【００６３】
ステップ４０２において、ユーザＡがユーザＢとの支払サービスをトリガした後、スキャニングによってユーザＢの顔面画像を取得する。
【００６４】
本実施形態では、支払サービスは、ユーザＡによって直接トリガされても良い。例えば、支払サービスは、携帯電話またはタブレットコンピュータなどの端末において「Ａｌｉｐａｙ（商標）」クライアントによってトリガすることができる。代替として、支払サービスは、例えば、「購入」オペレーションを介してユーザによってトリガすることができる。
【００６５】
本実施形態では、ユーザＡは、端末に構成された機能的コンポーネントを介してユーザＢのヒト生体データを直接入手することができるか、または有線もしくは無線様式によって外部の機能的コンポーネントに接続し、また、外部の機能的コンポーネントがユーザＢのヒト生体データをスキャンして入手した後に、外部の機能的コンポーネントによって送信されたデータを受信することができる。本明細書において使用されるヒト生体データが顔面画像である場合には、ユーザＡは、端末の内部または外部のカメラを介してユーザＢの顔面画像をスキャンして入手することができる。
【００６６】
本実施形態では、ヒト生体データは、予め入手することもできる。例えば、ユーザＡは、ユーザＢの顔面画像を端末に予め保存し、そのため、ユーザＢが存在しない場合でさえも、以前に入手した情報を使用して相互作用を実行することができる。
【００６７】
ステップ４０４において、ユーザＡは、ユーザＢの顔面画像をサーバに送信し、サーバは、その顔面画像にマッチングするユーザアカウントを検索する。
【００６８】
本実施形態では、例示的な実施態様として、オンラインデータベースをサーバに構成し、予めユーザによってアップロードされた顔面画像とユーザアカウントとの間のマッピング関係をオンラインデータベースに保存することができる。ユーザＡによってアップロードされた顔面画像に基づいて、それに対するユーザアカウントのマッチングが存在するか否かに関しての検索を行うことができる。
【００６９】
別の例示的な実施態様として、ユーザＡは、マッピング関係をそれらの端末にダウンロードして対応するローカルデータベースを確立し、顔面画像にマッチングするユーザアカウントをローカルで検索することもできることが明らかである。
【００７０】
ステップ４０６においてマッチングユーザアカウントが存在する場合には、ステップ４２０が実行される。存在しない場合には、ステップ４０８が実行される。
【００７１】
ステップ４０８において、ユーザＡは、ユーザＢとの支払取引を一時停止する。
【００７２】
ステップ４１０において、ユーザＡは、ユーザＢの入手した顔面画像をサーバにアップロードして保存する。
【００７３】
本実施形態では、「ステップ４０８」及び「ステップ４１０」は、単にオペレーションの２つのステップを区別するために使用され、それらの実行の特定の順序を限定するためには使用されない。
【００７４】
例示的な実施態様として、ユーザＢは、サーバにおいて顔面画像を１つずつ見て調べることによって、自身の顔面画像を明確に決定することができる。
【００７５】
別の例示的な実施態様として、多くのユーザの顔面画像（または、他のヒト生体データ）がサーバに存在し得るので、ステップ４１０において、ユーザＡは、入手した顔面画像と対応する識別情報とを関連付けてサーバにアップロードすることができ、したがって、ユーザＢは、識別情報に基づいて、それに対応する顔面画像をサーバから直ちに入手することができる。
【００７６】
ユーザＡが識別情報を生成して、その後、サーバにアップロードするときに、識別情報は、以下の少なくとも１つ、すなわち、ローカルログインアカウントのアカウント属性情報、ユーザＡによって使用される端末デバイスによってアップロードされたヒト生体データの時間情報、端末デバイスによってアップロードされたヒト生体データの地理的位置情報、端末デバイスの属性情報、端末デバイスが位置付けられているネットワーク環境の属性情報、自己定義の文字列、及び端末デバイスによって生成されたランダム文字列を含むことができる。アカウント属性情報は、ユーザＡのアカウント名、ユーザＡの携帯電話の番号などを含むことができる。端末デバイスの属性情報は、サーバによって端末デバイスに割り当てられたＩＤ、端末デバイスにおけるコンポーネントのＩＤなどを含むことができる。端末デバイスが位置付けられているネットワーク環境の属性情報は、端末デバイスのＩＰアドレス、ＭＡＣアドレスなどを含むことができる。明らかに、ユーザＡがユーザＢとともに存在する場合には、ユーザＡは、ランダム識別情報を手動で入力するかまたは端末デバイスを制御して、ランダム符号の文字列などのランダム識別情報を生成することができ、これによりユーザＢは、ランダム符号に従い、対応する顔面画像を検出することができる。
【００７７】
別の例示的な実施態様として、ユーザＡによってアップロードされたヒト生体データを受信した後、サーバは、その内部で対応する識別情報を生成し、ヒト生体データと識別情報とを関連付けて保存することができる。その後、サーバは、識別情報をユーザＡの端末デバイスに戻す。したがって、ユーザＢは、識別情報を端末デバイスから入手することができ、それをその後の検索オペレーション及びヒト生体データのアカウント関連付けに使用することできる。
【００７８】
識別情報がサーバによって生成されるときには、識別情報は、ランダム文字列であっても良い。識別情報がサーバによって生成されるため、サーバ内の各識別情報の一意性を保証することができる。
【００７９】
本実施形態では、識別情報は、ユーザＡによってユーザＢに送信することができ、かつユーザＢ自身によっても入手することができる。ユーザＢが自身で識別情報を入手するときには、ユーザＡは、端末のスクリーンインターフェース上に識別情報を表示し、ユーザＢは、１）識別情報を読み出してそれらを端末に入力し、それらをサーバにアップロードして、マッチング顔面画像を検索する、２）端末でカメラを使用して、ＯＣＲ技術により識別情報を自動的に認識し、３）ユーザＡが、例えば一次元符号または二次元符号などの、識別情報に対応するバーコードを生成する場合には対応する認識機能によってバーコードの識別情報を読み出して解析することができる。
【００８０】
ステップ４１２において、ユーザＢは、サーバ内の自身の顔面画像を検出する。
【００８１】
ステップ４１４において、ユーザＢは、検出した顔面画像と自身のユーザアカウントＢとを関連付ける。
【００８２】
ステップ４１６において、ユーザＢは、検出した顔面画像と自身のユーザアカウントＢとの間のマッピング関係をサーバに保存する。サーバは、オンラインデータベースに対してマッピング関係を更新することができる。
【００８３】
ステップ４１８において、サーバは、保存されたマッピング関係に基づいて、ステップ４０２において入手した顔面画像に対応するユーザアカウントＢをユーザＡの端末に送信して、支払取引を再開することができる。
【００８４】
ステップ４２０において、ユーザＢとの支払取引を完了する。
【００８５】
前述の実施形態では、ユーザは、ヒト生体データを一度入手するだけで情報相互作用オペレーションを完了することができ、情報相互作用オペレーションを複数回数にわたって開始する必要がない。したがって、オペレーションプロセスの単純化が促進して、情報相互作用の効率が向上する。
【００８６】
図５を参照すると、図５は、本願の例示的な実施形態に従う、サーバの観点からの、ヒト生体データとアカウントとを関連付ける方法のフローチャートを示す。本方法は、サーバに適用され、以下のステップを含むことができる。
【００８７】
ステップ５０２において、デバイスによってアップロードされたヒト生体データを受信する。
【００８８】
ステップ５０４において、ヒト生体データと対応する識別情報とを関連付けて保存する。
【００８９】
本実施形態では、膨大な数のユーザアカウントによってアップロードされた多くのヒト生体データがサーバに存在し得るため、複数のヒト生体データと識別情報のそれぞれとを関連付けて保存することによって、種々のヒト生体データを容易にかつ効率的に区別して、混同を回避する。
【００９０】
例示的な実施態様として、識別情報は、デバイスを使用するユーザによってアップロードすることができ、識別情報は、この時点では、以下の少なくとも１つ、すなわち、デバイスにおけるログインアカウントのアカウント属性情報、デバイスによってアップロードされたヒト生体データの時間情報、デバイスによってアップロードされたヒト生体データの地理的位置情報、デバイスの属性情報、デバイスが位置付けられているネットワーク環境の属性情報、自己定義の文字列、及びデバイスによって生成されたランダム文字列を含むことができる。
【００９１】
別の例示的な実施態様として、識別情報は、サーバによってローカルで生成することができ、識別情報は、この時点では、ランダム文字列であっても良い。サーバが識別情報を生成するときには、各識別情報の一意性が保証され、これにより、ユーザが検索を行うために識別情報を使用するときに、過度に多くのクエリ結果が戻されるために正しいヒト生体データを入手する効率が低下してしまうのを回避することができる。
【００９２】
ステップ５０６において、識別情報を含むリクエスト情報をユーザアカウントから受信する。
【００９３】
本実施形態では、リクエスト情報を送信するユーザアカウントは、ステップ５０２においてヒト生体データを送信したユーザアカウントと同じまたは異なるアカウントでも良い。
【００９４】
ステップ５０８において、リクエスト情報に含まれる識別情報に対応するヒト生体データを検索し、ユーザアカウントと検出されたヒト生体データとの間の関連付け関係を確立する。
【００９５】
前述の実施形態から理解されるように、本願では、ユーザのヒト生体データをサーバにアップロードすることによって、ユーザは、ヒト生体データとユーザアカウントとの間の関連付け関係を直接確立することができる。これによって、ユーザがヒト生体データを複数回数入手することを防止し、アカウント関連付けの効率の向上を促進させる。
【００９６】
また、サーバベースの情報相互作用オペレーションは、さらに、ユーザ間の情報相互作用の効率を改善するために、図５に示すようなヒト生体データとアカウントとを関連付ける方法に基づいて実施することができる。例えば、ユーザＡが、ユーザＢに対応するユーザアカウントｂに写真を送信することを希望し、かつユーザＢが、自身の顔面画像とユーザアカウントｂとの間の関連付けを予め確立していないときは、サーバによって発送された情報に基づいてユーザＡからの写真を間接的にユーザＢに送信することができる。それらのプロセスの詳細は、以下を含む。
【００９７】
ステップ５０２において、ユーザＡは、ユーザＢの顔面画像（または、他のヒト生体データ）を入手する。しかしながら、ユーザＢが自身の顔面画像とユーザアカウントｂとの間の関連付けを予め確立しないため、ユーザＡは、Ｎ個の入手した顔面画像をサーバに送信し、ユーザＢに送信する必要がある写真（または、通信すべき他の情報）もサーバに送信する。
【００９８】
ステップ５０４において、ユーザＡによってアップロードされた写真と、顔面画像と、対応する１つの識別情報とを関連付けて保存する。通信することができる複数の情報、ヒト生体データなどをサーバに保存することができるため、関連する保存オペレーションによって、保存された情報及びデータを容易にかつ効率的に区別することができる。
【００９９】
ステップ５０６において、ユーザＢからのリクエスト情報における識別情報に従い、ユーザＡによってアップロードされた顔面画像を検出し、これによりユーザアカウントｂと検出した顔面画像との間の関連付けを確立することができる一方で、検出した写真をユーザＢに送信し、これによりユーザＡのユーザアカウントａとユーザＢのユーザアカウントｂとの間の相互作用を完了することができる。
【０１００】
以上のように、ユーザＢが自身の顔面画像とユーザアカウントｂとの間の関連付け関係を予め確立しないために、ユーザＡとユーザＢとの間の情報相互作用オペレーション（すなわち、写真を送信するオペレーション）は一時停止されるが、後にユーザＢによって実行される関連付け確立オペレーションに基づいてかつサーバによる写真の「リレー」により、情報相互作用オペレーションが首尾良く再開されて完了する。
【０１０１】
図６は、本願の例示的な実施形態に従う、端末の概略構造図である。図６を参照すると、ハードウェアレベルにおいて、電子デバイスは、プロセッサ（複数可）、内部バス、ネットワークインターフェース、メモリ、及び不揮発性ストレージデバイスを備え、明確に、他のサービスに要求されるハードウェアをさらに備えることができる。プロセッサ（複数可）は、不揮発性ストレージデバイスから対応するコンピュータプログラムをメモリに読み出して（複数可）コンピュータプログラムを実行することによって、論理レベルの情報相互作用装置を形成する。明らかに、本願は、ソフトウェア実施態様に加えて、論理デバイスの形態の実施態様またはソフトウェアとハードウェアとの組み合わせなどの他の実施態様を排除しない。換言すれば、以下の処理のフローにおける実行エンティティには、様々な論理ユニットが含まれ得て、ハードウェアまたは論理デバイスも含まれ得るが、これらに限定されない。
【０１０２】
図７を参照すると、ソフトウェア実施態様では、図３Ａに示すような情報相互作用方法に対応して、情報相互作用装置は、入手ユニット、処理ユニット、及び相互作用ユニットを備えることができる。
【０１０３】
入手ユニットは、情報相互作用パーティのユーザアカウントを伴う情報相互作用オペレーションがトリガされたときに、情報相互作用パーティの役割を果たすユーザのヒト生体データを入手するように構成される。
【０１０４】
処理ユニットは、ヒト生体データに基づくマッチングユーザアカウントが存在しないと決定した場合に、情報相互作用オペレーションを一時停止するように、かつユーザがそれらのユーザアカウントとヒト生体データとの間の関連付け関係を確立するように、デバイスを介してヒト生体データをサーバにアップロードするように構成される。
【０１０５】
相互作用ユニットは、サーバによって送信されたヒト生体データにマッチングするユーザアカウントを受信したときに、情報相互作用オペレーションを再開するように、かつヒト生体データにマッチングするユーザアカウントを伴う情報相互作用オペレーションを完了するように構成される。
【０１０６】
任意選択で、処理ユニットは、
複数のヒト生体データとそれぞれのユーザアカウントとの間のマッピング関係を保存するローカルマッピング関係データベース内に、ヒト生体データにマッチングするユーザアカウントが存在するか否かを検索する、または
ヒト生体データをサーバに送信して、複数のヒト生体データとそれぞれのユーザアカウントとの間のマッピング関係を保存するオンラインマッピング関係データベース内に、ヒト生体データにマッチングするユーザアカウントが存在するか否かをサーバに検索させ、サーバから戻されたクエリ結果を受信するように特別に構成される。
【０１０７】
任意選択で、本装置は、さらに、受信ユニットまたは生成ユニットを備える。
【０１０８】
受信ユニットは、ヒト生体データがサーバに送信された後に、ヒト生体データと識別情報とを関連付けて保存しているサーバによって戻された識別情報を受信するように構成される。
【０１０９】
生成ユニットは、識別情報を生成し、識別情報をサーバに送信して、ヒト生体データと識別情報とを関連付けてサーバに保存するように構成される。
【０１１０】
任意選択で、識別情報がサーバによって戻されたときには、識別情報は、ランダム文字列を含む。
【０１１１】
識別情報がローカルで生成されたときには、識別情報は、以下、
デバイスにおけるログインアカウントのアカウント属性情報、デバイスによってアップロードされたヒト生体データの時間情報、デバイスによってアップロードされたヒト生体データの地理的位置情報、デバイスの属性情報、デバイスが位置付けられているネットワーク環境の属性情報、自己定義の文字列、及びデバイスによって生成されたランダム文字列の少なくとも１つを含む。
【０１１２】
任意選択で、本装置は、さらに、
識別情報を表示するまたは識別情報に従い生成されたバーコードグラフィックを表示するように構成された表示ユニットを含む。
【０１１３】
任意選択で、情報相互作用オペレーションは、
ヒト生体データにマッチングするユーザアカウントを伴う対面転送オペレーションを実行することを含む。
【０１１４】
図８を参照すると、ソフトウェア実施態様では、図３Ｂに示すような情報相互作用方法に対応して、情報相互作用装置は、クエリユニット、関連付けユニット、及び相互作用ユニットを備えることができる。
【０１１５】
クエリユニットは、ログインアカウントを使用してデータクエリリクエストをサーバに送信して、情報相互作用パーティのユーザアカウントが属するデバイスによって入手かつアップロードされた、ログインアカウントに対応するユーザのヒト生体データをクエリするように構成される。
【０１１６】
関連付けユニットは、ログインアカウントと検出されたヒト生体データとの間の関連付け関係を確立するための関連付けリクエストをサーバに送信するように構成される。
【０１１７】
相互作用ユニットは、関連付け関係に従う、情報相互作用パーティのアカウントによって送信された相互作用情報の受信時に、情報相互作用パーティのユーザアカウントを伴う情報相互作用オペレーションを完了するように構成される。
【０１１８】
任意選択で、データクエリリクエストは、デバイスによって生成され、ヒト生体データと識別情報とを関連付けて保存しているサーバに送信された識別情報、またはサーバによって生成され、デバイスに送信された識別情報を含む。
【０１１９】
任意選択で、本装置は、さらに、
デバイスのスクリーンインターフェースに表示されたバーコードグラフィックを入手するように構成された入手ユニットと、
バーコードグラフィックを解析して識別情報を取得するように構成された解析ユニットと、を備える。
【０１２０】
任意選択で、情報相互作用オペレーションは、
情報相互作用パーティのユーザアカウントを伴う対面転送オペレーションを実行することを含む。
【０１２１】
図９は、本願の例示的な実施形態に従う、サーバの概略構造図である。図９を参照すると、ハードウェアレベルにおいて、サーバは、プロセッサ（複数可）、内部バス、ネットワークインターフェース、メモリ、及び不揮発性ストレージデバイスを備え、明確に、他のサービスに要求されるハードウェアをさらに備えることができる。プロセッサ（複数可）は、不揮発性ストレージデバイスから対応するコンピュータプログラムをメモリに読み出し、コンピュータプログラムを実行することによって、ヒト生体データとアカウントとを関連付ける論理レベルの装置を形成する。明らかに、本願は、ソフトウェア実施態様に加えて、論理デバイスの形態の実施態様またはソフトウェアとハードウェアとの組み合わせなどの他の実施態様を排除しない。換言すれば、以下の処理のフローにおける実行エンティティには、様々な論理ユニットが含まれ得て、ハードウェアまたは論理デバイスも含まれ得るが、これらに限定されない。
【０１２２】
図１０を参照すると、ソフトウェア実施態様では、ヒト生体データとアカウントとを関連付ける装置は、データ受信ユニット、関連付けストレージユニット、リクエスト受信ユニット、及び関連付け処理ユニットを備えることができる。
【０１２３】
データ受信ユニットは、デバイスによってアップロードされたヒト生体データを受信するように構成される。
【０１２４】
関連付けストレージユニットは、ヒト生体データと対応する識別情報とを関連付けて保存するように構成される。
【０１２５】
リクエスト受信ユニットは、識別情報を含む、ユーザアカウントからのリクエスト情報を受信するように構成される。
【０１２６】
関連付け処理ユニットは、リクエスト情報に含まれる識別情報に対応するヒト生体データを検索して、ユーザアカウントと検出されたヒト生体データとの間の関連付け関係を確立するように構成される。
【０１２７】
任意選択で、識別情報は、デバイスによってアップロードされるかまたはローカルで生成される。
【０１２８】
任意選択で、識別情報がデバイスによってアップロードされたときには、識別情報は、以下、
デバイスにおけるログインアカウントのアカウント属性情報、デバイスによってアップロードされたヒト生体データの時間情報、デバイスによってアップロードされたヒト生体データの地理的位置情報、デバイスの属性情報、デバイスが位置付けられているネットワーク環境の属性情報、自己定義の文字列、及びデバイスによって生成されたランダム文字列の少なくとも１つを含む。
【０１２９】
識別情報がローカルで生成されたときには、識別情報は、ランダム文字列を含む。
【０１３０】
任意選択で、データ受信ユニットは、さらに、デバイスによってアップロードされた相互作用する情報を受信する。
【０１３１】
関連付けストレージユニットは、さらに、相互作用する情報と、ヒト生体データと、識別情報とを関連付けて保存する。
【０１３２】
本装置は、さらに、リクエスト情報の受信に応答して、リクエスト情報に含まれる識別情報に対応する相互作用する情報をユーザアカウントに送信するように構成された情報送信ユニットを備える。
【０１３３】
したがって、本願は、情報相互作用オペレーションを一時停止かつ再開することによって、情報相互作用パーティのユーザが、ヒト生体データとユーザアカウントとの間の関連付け関係をリアルタイムで確立するのを待機し、それによって、ヒト生体データを入手する回数減少させ、情報相互作用オペレーションが複数回実行されることを回避させ、情報相互作用の効率の向上を促進させる。
【０１３４】
代表的な構成では、コンピューティングデバイスは、１つ以上のプロセッサ（ＣＰＵ）、入出力インターフェース、ネットワークインターフェース、及びメモリを含む。
【０１３５】
メモリは、コンピュータ可読媒体、例えば、非永続的なストレージデバイス、ランダムアクセスメモリ（ＲＡＭ）、及び／または不揮発性の内部ストレージ、例えば、読み出し専用メモリ（ＲＯＭ）もしくはフラッシュＲＡＭの形態のものを含むことができる。メモリは、例示的なコンピュータ可読媒体である。
【０１３６】
コンピュータ可読媒体は、任意の方法または技術を使用して情報の保存を実現できる、永続的または非永続的なタイプの、取り外し可能なまたは取り外し不可能な媒体を含むことができる。情報は、コンピュータ可読命令、データ構造、プログラムモジュール、または他のデータを含むことができる。コンピュータストレージ媒体の例は、相変化メモリ（ＰＲＡＭ）、スタティックランダムアクセスメモリ（ＳＲＡＭ）、ダイナミックランダムアクセスメモリ（ＤＲＡＭ）、他のタイプのランダムアクセスメモリ（ＲＡＭ）、読み出し専用メモリ（ＲＯＭ）、電子的消去可能プログラマブル読み出し専用メモリ（ＥＥＰＲＯＭ）、迅速なフラッシュメモリもしくは他の内部ストレージ技術、コンパクトディスク読み出し専用メモリ（ＣＤ−ＲＯＭ）、デジタル多用途ディスク（ＤＶＤ）もしくは他の光学ストレージ、磁気カセットテープ、磁気ディスクストレージもしくは他の磁気ストレージデバイス、またはコンピューティングデバイスによってアクセス可能な情報を保存するために使用することができる任意の他の非伝送媒体を含む。本明細書に定義されるようなコンピュータ可読媒体は、変調されたデータ信号及び搬送波などの一時的媒体は含まない。
【０１３７】
「ｃｏｍｐｒｉｓｅ（備える）」、「ｉｎｃｌｕｄｅ（含む）」及びそれらの他の任意の変異形などの用語が、非排他的な含有の網羅を意図することをさらに留意すべきである。一連の要素を含むプロセス、方法、生成物、またはデバイスは、それらの要素のみならず、明白に列挙されていない他の要素も含むか、またはそのようなプロセス、方法、生成物、またはデバイスに既に存在する要素をさらに含む。さらに限定されない条件では、「ｉｎｃｌｕｄｅ  ａ／ａｎ〜（〜を含む）」という成句によって定義された要素は、プロセス、方法、生成物、またはデバイスに存在する任意の他の同様の要素を排除しない。
【０１３８】
以上で説明されたものは、本願の好ましい実施形態にすぎず、本願を限定することを意図するものではない。本発明の趣旨及び原理から逸することなくなされる任意の変更、同等の置換、改善などは、本願の保護範囲内のものとする。
【図１】
2020047290.tif 000003
【図２】
2020047290.tif 000004
【図３Ａ】
2020047290.tif 000005
【図３Ｂ】
2020047290.tif 000006
【図４】
2020047290.tif 000007
【図５】
2020047290.tif 000008
【図６】
2020047290.tif 000009
【図７】
2020047290.tif 000010
【図８】
2020047290.tif 000011
【図９】
2020047290.tif 000012
【図１０】
2020047290.tif 000013